(57)【要約】【課題】  配管材への巻き付け状態を長期に渡って維持することができ、かつ、簡単に施工することができる、防音シート体を提供する。【解決手段】  防音シート体２は、配管材１に巻かれる防音シート３を備える。その防音シート３には、配管材１に巻かれて重なる重合端部４、４の各側に、一側と他側とで互いに嵌め合わされて係合するスナップボタン５，５が、そのスナップボタン５に備わるフランジ６部分で取付固定される。この防音シート体２を配管材１に取り付けるには、防音シート体２を配管材１に巻き付けて、重合端部４、４の各側に設けられたスナップボタン５，５どうしを、互いに嵌め合わせて係合させる。【選択図】  図５
2008008340.tif 000002
【特許請求の範囲】
【請求項１】
配管材に巻き付けられる防音シート体であって、
前記配管材に巻かれる防音シートを備え、その防音シートには、前記配管材に巻かれて重なる重合端部の各側に、一側と他側とで互いに嵌め合わされて係合するスナップボタンが、そのスナップボタンに備わるフランジ部分で取付固定されていることを特徴とする防音シート体。
【請求項２】
前記防音シート体は、前記配管材が曲がって形成された曲がり配管材に巻き付けられる、曲がり用の防音シート体であって、
前記防音シートは、前記曲がり配管材に巻かれた際に、前記重合端部が、前記曲がり配管材の曲がる側面に対応位置するように、前記曲がり配管材に巻かれる巻き方向の中間位置に、前記曲がり配管材の曲がる内側に対応する幅狭部と、前記曲がり配管材の曲がる外側に対応する幅広部とが、前記巻き方向に並んでいることを特徴とする、請求項１に記載の防音シート体。
【請求項３】
前記防音シートには、前記曲がり配管材に続く直状配管材側の端部に、前記スナップボタンとは別に、連結のためのスナップボタンが、その連結のためのスナップボタンに備わるフランジ部分で取付固定され、
前記連結のためのスナップボタンは、前記直状配管材に巻き付けられる他の防音シート体に備わる他の連結のためのスナップボタンと、互いに嵌め合わされて係合可能であることを特徴とする、請求項２に記載の防音シート体。
【請求項４】
前記防音シート体は、前記配管材が直状となる直状配管材に巻き付けられる、直状用の防音シート体であって、
前記防音シートには、前記直状配管材に巻かれる巻き方向に直交する方向の端部に、前記スナップボタンとは別に、連結のためのスナップボタンが、その連結のためのスナップボタンに備わるフランジ部分で取付固定され、
前記連結のためのスナップボタンは、他の防音シート体に備わる他の連結のためのスナップボタンと、互いに嵌め合わされて係合可能であることを特徴とする、請求項１に記載の防音シート体。
【請求項５】
前記防音シートは、内側に位置する吸音層と外側に位置する遮音層とが積層されてなり、
前記吸音層は、ニードルフェルトからなり、前記遮音層は、軟質塩化ビニル樹脂からなることを特徴とする、請求項１ないし４のいずれか１項に記載の防音シート体。
【請求項６】
請求項１に記載の防音シート体が、前記配管材が直状となる直状配管材に巻き付けられてなる、防音シート体の巻き付け構造であって、
前記防音シートは、矩形に形成されて、その矩形の一組の対向する辺側が、前記重合端部となり、一方の前記重合端部に、その重合端部に沿って、前記スナップボタンとしての雄スナップボタンが、同一間隔で複数個並んで取付固定され、他方の前記重合端部に、その重合端部に沿って、前記スナップボタンとしての雌スナップボタンが、同一間隔で複数個並んで取付固定されており、
前記防音シート体は、前記直状配管材に巻き付けられるに当たって、前記重合端部に沿う方向の端部に、前記雄または雌スナップボタンを残すようにして、前記雄スナップボタンと前記雌スナップボタンとが、前記重合端部に沿う方向にずれた位置で、互いに嵌め合わされて係合していることを特徴とする、防音シート体の巻き付け構造。
【請求項７】
配管材への防音シート体の巻き付け方法であって、
前記防音シート体は、前記配管材に巻かれる防音シートを備え、その防音シートには、前記配管材に巻かれて重なる重合端部の各側に、一側と他側とで互いに嵌め合わされて係合するスナップボタンが、そのスナップボタンに備わるフランジ部分で取付固定されており、
前記防音シート体を、端部に連結のためのスナップボタンを残した状態で、前記配管材に巻き付けて、前記スナップボタンを互いに嵌め合わせて係合させるとともに、前記連結のためのスナップボタンを、他の防音シート体に備わる他の連結のためのスナップボタンと互いに嵌め合わせて係合させて、前記防音シート体と前記他の防音シート体とを連結する、防音シート体の巻き付け方法。
【発明の詳細な説明】
【技術分野】
【０００１】
この発明は、配管材に巻き付けられる、防音シート体、防音シート体の巻き付け構造、および防音シート体の巻き付け方法に関するものである。
【背景技術】
【０００２】
従来、建築物の給排水装置や空調装置等に使用される、給水管、排水管、吸気ダクト、排気ダクト等の配管材内を、水、空気等の流体が流れることで発生する騒音を低減するために、配管材に防音シートを巻き付けることがあった（例えば、特許文献１参照）。この防音シートは、一端側に複数の留め具が設けられ、他端側に複数の係止孔が形成されて、この防音シートを配管材に巻き付けた後、一端側に設けられた留め具を、他端側に形成された係止孔に挿入して固定していた。
【０００３】
【特許文献１】特開２０００−１６１５８３号公報
【発明の開示】
【発明が解決しようとする課題】
【０００４】
ところで、前記従来の防音シートにあっては、その防音シートが経年劣化すると、留め具が挿入されてその留め具から力を受けている係止孔部分から破損する虞があった。さらに、破損が進行すると、留め具と係止孔との係合が外れ、その結果、配管材への巻き付け状態を維持できなくなる虞があった。
【０００５】
この発明は、上記した従来の欠点を解決するためになされたものであり、その目的とするところは、配管材への巻き付け状態を長期に渡って維持することができ、かつ、簡単に施工することができる、防音シート体、防音シート体の巻き付け構造、および防音シート体の巻き付け方法を提供することにある。
【課題を解決するための手段】
【０００６】
この発明に係る防音シート体、防音シート体の巻き付け構造、および防音シート体の巻き付け方法は、前記目的を達成するために、次の構成からなる。すなわち、
請求項１に記載の発明に係る防音シート体は、配管材に巻き付けられる防音シート体である。この防音シート体は、前記配管材に巻かれる防音シートを備え、その防音シートには、前記配管材に巻かれて重なる重合端部の各側に、一側と他側とで互いに嵌め合わされて係合するスナップボタンが、そのスナップボタンに備わるフランジ部分で取付固定される。この防音シート体を配管材に取り付けるには、防音シート体を配管材に巻き付けて、重合端部の各側に設けられたスナップボタンどうしを、互いに嵌め合わせて係合させる。ここにおいて、それぞれのスナップボタンは、フランジ部分で、重合端部の各側に取付固定されるため、防音シートの経年劣化に耐えて、その固定を維持することができる。
【０００７】
また、請求項２に記載の発明に係る防音シート体は、請求項１に記載の防音シート体において、前記防音シート体は、前記配管材が曲がって形成された曲がり配管材に巻き付けられる、曲がり用の防音シート体である。この防音シート体における前記防音シートは、前記曲がり配管材に巻かれた際に、前記重合端部が、前記曲がり配管材の曲がる側面に対応位置するように、前記曲がり配管材に巻かれる巻き方向の中間位置に、前記曲がり配管材の曲がる内側に対応する幅狭部と、前記曲がり配管材の曲がる外側に対応する幅広部とが、前記巻き方向に並んでいる。これによると、曲がり配管材の曲がる外側とか内側に障害物がある場合であっても、曲がり配管材の曲がる側面側に作業スペースがあれば、重合端部の各側に設けられたスナップボタンどうしを、互いに嵌め合わせて係合させることができる。
【０００８】
また、請求項３に記載の発明に係る防音シート体は、請求項２に記載の防音シート体において、前記防音シートには、前記曲がり配管材に続く直状配管材側の端部に、前記スナップボタンとは別に、連結のためのスナップボタンが、その連結のためのスナップボタンに備わるフランジ部分で取付固定されている。そして、前記連結のためのスナップボタンは、前記直状配管材に巻き付けられる他の防音シート体に備わる他の連結のためのスナップボタンと、互いに嵌め合わされて係合可能である。このように、曲がり用の防音シート体に連結のためのスナップボタンを設けることで、この連結のためのスナップボタンと、他の防音シート体に備わる他の連結のためのスナップボタンとを、互いに嵌め合わせて係合させることで、曲がり用の防音シート体と他の防音シート体とを、簡単に連結することができる。
【０００９】
また、請求項４に記載の発明に係る防音シート体は、請求項１に記載の防音シート体において、前記防音シート体は、前記配管材が直状となる直状配管材に巻き付けられる、直状用の防音シート体である。この防音シート体における前記防音シートには、前記直状配管材に巻かれる巻き方向に直交する方向の端部に、前記スナップボタンとは別に、連結のためのスナップボタンが、その連結のためのスナップボタンに備わるフランジ部分で取付固定されている。そして、前記連結のためのスナップボタンは、他の防音シート体に備わる他の連結のためのスナップボタンと、互いに嵌め合わされて係合可能である。このように、直状用の防音シート体に連結のためのスナップボタンを設けて、この連結のためのスナップボタンと、他の防音シート体に備わる他の連結のためのスナップボタンとを、互いに嵌め合わせて係合させることで、直状用の防音シート体と他の防音シート体とを、簡単に連結することができる。
【００１０】
また、請求項５に記載の発明に係る防音シート体は、請求項１ないし４のいずれか１項に記載の防音シート体において、前記防音シートは、内側に位置する吸音層と外側に位置する遮音層とが積層されている。そして、前記吸音層は、ニードルフェルトからなり、前記遮音層は、軟質塩化ビニル樹脂からなる。このように、防音シートを、音を吸収する吸音層と、音を遮断する遮音層とで構成することで、その防音効果を高めることができる。
【００１１】
また、請求項６に記載の発明に係る防音シート体の巻き付け構造は、請求項１に記載の防音シート体が、前記配管材が直状となる直状配管材に巻き付けられてなる、防音シート体の巻き付け構造である。ここで、前記防音シートは、矩形に形成されて、その矩形の一組の対向する辺側が、前記重合端部となり、一方の前記重合端部に、その重合端部に沿って、前記スナップボタンとしての雄スナップボタンが、同一間隔で複数個並んで取付固定され、他方の前記重合端部に、その重合端部に沿って、前記スナップボタンとしての雌スナップボタンが、同一間隔で複数個並んで取付固定されている。そして、前記防音シート体は、前記直状配管材に巻き付けられるに当たって、前記重合端部に沿う方向の端部に、前記雄または雌スナップボタンを残すようにして、前記雄スナップボタンと前記雌スナップボタンとが、前記重合端部に沿う方向にずれた位置で、互いに嵌め合わされて係合している。このように、防音シートが矩形に形成されている場合であっても、雄スナップボタンと雌スナップボタンとを、重合端部に沿う方向にずれた位置で、互いに嵌め合わせて係合させることで、重合端部に沿う方向の端部に、雄または雌スナップボタンを残すことができる。そして、残されたスナップボタンと、他の防音シート体のスナップボタンとを、互いに嵌め合わせて係合させることで、この防音シート体と他の防音シート体とを、簡単に連結することができる。
【００１２】
また、請求項７に記載の発明に係る防音シート体の巻き付け方法は、配管材への防音シート体の巻き付け方法である。前記防音シート体は、前記配管材に巻かれる防音シートを備え、その防音シートには、前記配管材に巻かれて重なる重合端部の各側に、一側と他側とで互いに嵌め合わされて係合するスナップボタンが、そのスナップボタンに備わるフランジ部分で取付固定されている。そこで、前記防音シート体を、端部に連結のためのスナップボタンを残した状態で、前記配管材に巻き付けて、前記スナップボタンを互いに嵌め合わせて係合させるとともに、前記連結のためのスナップボタンを、他の防音シート体に備わる他の連結のためのスナップボタンと互いに嵌め合わせて係合させて、前記防音シート体と前記他の防音シート体とを連結する。こうして、防音シート体を配管材に巻き付ける際に残された、連結のためのスナップボタンと、他の防音シート体に備わる他の連結のためのスナップボタンとを、互いに嵌め合わせて係合させることで、この防音シート体と他の防音シート体とを、簡単に連結することができる。ここで、防音シート体におけるスナップボタンは、フランジ部分で、重合端部の各側に取付固定されるため、防音シートの経年劣化に耐えて、その固定を維持することができる。
【発明の効果】
【００１３】
この発明に係る防音シート体、防音シート体の巻き付け構造、および防音シート体の巻き付け方法によれば、それぞれのスナップボタンは、フランジ部分で、重合端部の各側に取付固定されるため、防音シートの経年劣化に耐えて、その固定を維持することができ、その結果、配管材への防音シート体の巻き付け状態を長期に渡って維持することができる。しかも、防音シート体を配管材に巻き付ける際には、スナップボタンどうしを、互いに嵌め合わせて係合させればよく、簡単に施工することができる。
【発明を実施するための最良の形態】
【００１４】
以下、この発明を実施するための最良の形態を図面に基づいて説明する。
【００１５】
図１〜図５は、本発明の第一の実施の形態を示す。図中符号１は、例えば、建築物の給排水装置や空調装置等に使用される、給水管、排水管、吸気ダクト、排気ダクト等の配管材である。２は、前記配管材１に巻き付けられる防音シート体である。
【００１６】
ここで、防音シート体２は、配管材１に巻かれる防音シート３を備える。そして、その防音シート３には、配管材１に巻かれて重なる重合端部４、４の各側に、一側と他側とで互いに嵌め合わされて係合するスナップボタン５が、そのスナップボタン５に備わるフランジ６部分で取付固定されている。
【００１７】
詳細には、防音シート体２は、前記配管材１が直状となる直状配管材１ａに巻き付けられる、直状用の防音シート体２ａである。この防音シート体２ａにおける防音シート３は、内側に位置する吸音層７と、外側に位置する遮音層８とが積層されてなる（図２、図３参照）。そして、吸音層７は、例えばニードルフェルトからなり、遮音層８は、例えば軟質塩化ビニル樹脂からなる。吸音層７におけるニードルフェルトには、繊維と繊維との間に多数の隙間とか細孔が形成されており、これら隙間とか細孔にある空気に音波が伝わって振動すると、空気が繊維と摩擦して、音のエネルギーが、熱エネルギーに転換され、吸収される。そして、防音シート３は、音を吸収する吸音層７と、音をはね返す遮音層８との二層構造となっているため、優れた防音効果が発揮される。また、防音シート３は、吸音層７の特性により、結露を抑える防露性能も備えることとなる。
【００１８】
この防音シート３は、図１に示すように、矩形（図示実施の形態においては、直状配管材１ａの延びる方向に長手となる長方形）に形成されている。そして、防音シート３は、矩形の一組の対向する辺（図示実施の形態においては、長辺）側が、前記重合端部４、４となる。そこで、一方の重合端部４に、その重合端部４に沿って、前記スナップボタン５としての雄スナップボタン５ａが、同一間隔で複数個並んで取付固定されている。そして、他方の重合端部４に、その重合端部４に沿って、前記スナップボタン５としての雌スナップボタン５ｂが、前記雄スナップボタン５ａに対応するように、同一間隔で複数個並んで取付固定されている。
【００１９】
雄スナップボタン５ａは、図２に示すように、一対のフランジ６、６を有しており、その一対のフランジ６、６で、防音シート３に明けられた取付孔９の周縁を挟み込むようにして、防音シート３に取り付けられる。詳細には、雄スナップボタン５ａは、第１部材１０と第２部材１１とを備える。第１部材１０は、一方のフランジ６を有し、そのフランジ６からは、筒状の係合凸部１２が突出して形成されている。第２部材１１は、もう一方のフランジ６を有し、そのフランジ６からは、筒部１３が突出して形成されている。そこで、この筒部１３が、防音シート３の取付孔９と、第１部材１０のフランジ６に明けられた通孔１４を貫通して、そのフランジ６の前面を押圧するようにかしめられる。そして、このかしめにより、前記一対のフランジ６、６が防音シート３を挟み込み、こうして、雄スナップボタン５ａは、防音シート３に取付固定される。
【００２０】
雌スナップボタン５ｂもまた、図３に示すように、一対のフランジ６、６を有しており、その一対のフランジ６、６で、防音シート３に明けられた取付孔９の周縁を挟み込むようにして、防音シート３に取り付けられる。詳細には、雌スナップボタン５ｂは、第１部材１５と第２部材１６とを備える。第１部材１５は、一方のフランジ６を有し、そのフランジ６からは、係合凹部１７が突出して形成されている。そして、この係合凹部１７内に、前記係合凸部１２と弾性的に係合する弾性リング１８が設けられている（図３、図５参照）。第２部材１６は、もう一方のフランジ６を有し、そのフランジ６からは、筒部１９が突出して形成されている。そこで、この筒部１９が、防音シート３の取付孔９と、第１部材１５のフランジ６に明けられた通孔２０を貫通して、そのフランジ６の前面を押圧するようにかしめられる。そして、このかしめにより、前記一対のフランジ６、６が防音シート３を挟み込み、こうして、雌スナップボタン５ｂは、防音シート３に取付固定される。
【００２１】
次に、以上の構成からなる直状用の防音シート体２ａ（防音シート体２）の作用効果について説明する。この直状用の防音シート体２ａ（防音シート体２）を直状配管材１ａ（配管材１）に取り付けるには、防音シート体２ａを直状配管材１ａに巻き付けて、重合端部４、４の各側に設けられたスナップボタン５、５どうしを（詳細には、雄スナップボタン５ａと雌スナップボタン５ｂとを）、互いに嵌め合わせて係合させる。つまり、雄スナップボタン５ａの係合凸部１２と、雌スナップボタン５ｂの係合凹部１７とを嵌め合わせて、係合凸部１２を、係合凹部１７内に設けられた弾性リング１８に係合させる。ここにおいて、それぞれのスナップボタン５、５（詳細には、雄スナップボタン５ａと雌スナップボタン５ｂ）は、フランジ６部分で、重合端部４、４の各側に取付固定されるため、防音シート３の経年劣化に耐えて、その固定を維持することができる。したがって、直状配管材１ａへの防音シート体２ａの巻き付け状態を長期に渡って維持することができる。しかも、防音シート体２ａを直状配管材１ａに巻き付ける際には、スナップボタン５、５どうしを（詳細には、雄スナップボタン５ａと雌スナップボタン５ｂとを）、互いに嵌め合わせて係合させればよく、簡単に施工することができる。
【００２２】
図６〜図８は、本発明の第二の実施の形態を示す。この実施の形態では、第一の実施の形態に示す直状用の防音シート体２ａを用いるが、その防音シート体２ａの巻き付け構造が、第一の実施の形態とは異なる。以下に、同様の機能を有する部分には同一の符号を付して、異なる部分を主に説明する。
【００２３】
この防音シート体２ａの巻き付け構造は、防音シート体２ａが、直状配管材１ａに巻き付けられてなる巻き付け構造であって、防音シート体２ａは、直状配管材１ａに巻き付けられるに当たって、重合端部４、４に沿う方向の端部に、雄または雌スナップボタン５ａ、５ｂを残すようにして（図示実施の形態においては、上側に雌スナップボタン５ｂを残し、下側に雄スナップボタン５ａを残すようにして）、雄スナップボタン５ａ、５ａと雌スナップボタン５ｂ、５ｂとが、重合端部４、４に沿う方向にずれた位置で、互いに嵌め合わされて係合している。
【００２４】
また、防音シート体２ａの巻き付け方法としては、防音シート体２ａ（図７において、例えば上側の防音シート体２ａ）を、端部に連結のためのスナップボタン２１（図７において、雄スナップボタン２１ａ）を残した状態で、直状配管材１ａに巻き付けて、スナップボタン５、５（つまり、防音シート体２ａにおける、巻き付けのための雄スナップボタン５ａと雌スナップボタン５ｂと）を互いに嵌め合わせて係合させるとともに、連結のためのスナップボタン２１（図７において、雄スナップボタン２１ａ）を、他の防音シート体２（図７において、例えば下側の防音シート体２ａ）に備わる他の連結のためのスナップボタン２１（図７において、雌スナップボタン２１ｂ）と互いに嵌め合わせて係合させて、前記防音シート体２ａと前記他の防音シート体２（詳細には、防音シート体２ａ）とを連結する（図８参照）。なお、図示実施の形態においては、防音シート体２ａと他の防音シート体２（詳細には、防音シート体２ａ）とは、その連結部分で、隙間ができないように、全周で重なっているが、一部で重なり、残りの部分で突き合わされるようにしても構わない。
【００２５】
この巻き付け構造とか、巻き付け方法によると、防音シート３が矩形に形成されている場合であっても、雄スナップボタン５ａ、５ａと雌スナップボタン５ｂ、５ｂとを、重合端部４、４に沿う方向にずれた位置で、互いに嵌め合わせて係合させることで、重合端部４、４に沿う方向の端部に、連結のための雄または雌スナップボタン２１ａ、２１ｂを残すことができる。そして、図７および図８に示すように、この防音シート体２ａ（図７において、例えば上側の防音シート体２ａ）の、残された連結のための雄または雌スナップボタン２１ａ、２１ｂ（図示実施の形態においては、雄スナップボタン２１ａ）と、他の防音シート体２（図７において、例えば下側の防音シート体２ａ）の他の連結のための雌または雄スナップボタン２１ｂ、２１ａ（図示実施の形態においては、雌スナップボタン２１ｂ）とを、互いに嵌め合わせて係合させることで、この防音シート体２ａと他の防音シート体２（詳細には、防音シート体２ａ）とを、簡単に連結することができる。なお、図示実施の形態においては、防音シート体２ａと他の防音シート体２は、同一品であって、それら防音シート体２ａ、２の、残された、雄スナップボタン２１ａと雌スナップボタン２１ｂとが、互いに嵌め合わされて係合する。
【００２６】
図９〜図１２は、本発明の第三の実施の形態を示す。この実施の形態に示す直状用の防音シート体２ａ（防音シート体２）は、第一の実施の形態に示す防音シート体２ａとは、防音シート３の形状が異なるが、他はほぼ同様であり、以下に、同様の機能を有する部分には同一の符号を付して、異なる部分を主に説明する。
【００２７】
防音シート体２ａは、第一の実施の形態と同様に、直状配管材１ａに巻き付けられる、直状用の防音シート体であるが、その防音シート体２ａにおける防音シート３には、直状配管材１ａに巻かれる巻き方向Ｐに直交する方向Ｑの端部に、巻き付けのためのスナップボタン５（雄および雌スナップボタン５ａ、５ｂ）とは別に、連結のためのスナップボタン２１が、その連結のためのスナップボタン２１に備わるフランジ部分で取付固定されている。そして、この連結のためのスナップボタン２１は、他の防音シート体２に備わる他の連結のためのスナップボタン２１と、互いに嵌め合わされて係合可能となっている。
【００２８】
詳細には、防音シート３は、矩形のシート本体３ａに対して、巻き方向Ｐに直交する方向Ｑの各端に、三角形状（詳しくは、直角三角形状）のシート付加部３ｂを追加した、平行四辺形（図示実施の形態においては、直状配管材１ａの延びる方向に長手となる平行四辺形）形状に形成されている。そして、防音シート３は、平行四辺形の一組の対向する辺（図示実施の形態においては、長辺）側が、直状配管材１ａに巻かれて重なる重合端部４、４となる。そこで、シート本体３ａにおける、一方の重合端部４に、その重合端部４に沿って、前記スナップボタン５としての雄スナップボタン５ａが、同一間隔で複数個並んで取付固定されている。そして、シート本体３ａにおける、他方の重合端部４に、その重合端部４に沿って、前記スナップボタン５としての雌スナップボタン５ｂが、前記巻き方向Ｐにおいて雄スナップボタン５ａに対応するように、同一間隔で複数個並んで取付固定されている。そして、防音シート３には、一方のシート付加部３ｂに、巻き付けのための雄スナップボタン５ａと並んで、連結のためのスナップボタン２１としての雄スナップボタン２１ａが取付固定され、他方のシート付加部３ｂに、巻き付けのための雌スナップボタン５ｂと並んで、連結のためのスナップボタン２１としての雌スナップボタン２１ｂが取付固定されている。ここで、これら連結のための雄および雌スナップボタン２１ａ、２１ｂには、巻き付けのための雄および雌スナップボタン５ａ、５ｂと同一のボタンが用いられ、同様の方法で防音シート３に取付固定される。
【００２９】
また、防音シート体２ａの巻き付け方法としては、防音シート体２ａ（図１１において、例えば上側の防音シート体２ａ）を、端部に連結のためのスナップボタン２１（図１１において、雄スナップボタン２１ａ）を残した状態で、直状配管材１ａに巻き付けて、スナップボタン５、５（つまり、防音シート体２ａにおける、巻き付けのための雄スナップボタン５ａと雌スナップボタン５ｂと）を互いに嵌め合わせて係合させるとともに、連結のためのスナップボタン２１（図１１において、雄スナップボタン２１ａ）を、他の防音シート体２（図１１において、例えば下側の防音シート体２ａ）に備わる他の連結のためのスナップボタン２１（図１１において、雌スナップボタン２１ｂ）と互いに嵌め合わせて係合させて、前記防音シート体２ａと前記他の防音シート体２（詳細には、防音シート体２ａ）とを連結する（図１２参照）。なお、図示実施の形態においては、防音シート体２ａと他の防音シート体２（詳細には、防音シート体２ａ）とは、その連結部分で、隙間ができないように、一部で重なり、残りの部分で突き合わされているが、全周で重なるようにしても構わない。
【００３０】
この直状用の防音シート体２ａとか、巻き付け方法によると、図１１および図１２に示すように、防音シート体２ａに、巻き付けのためのスナップボタン５と連結のためのスナップボタン２１とを設けて、防音シート体２ａ（図１１において、例えば上側の防音シート体２ａ）を直状配管材１ａに巻き付ける際に残された、連結のためのスナップボタン２１（図示実施の形態においては、雄スナップボタン２１ａ）と、他の防音シート体２（図１１において、例えば下側の防音シート体２ａ）に備わる他の連結のためのスナップボタン２１（図示実施の形態においては、雌スナップボタン２１ｂ）とを、互いに嵌め合わせて係合させることで、この防音シート体２ａと他の防音シート体２（詳細には、防音シート体２ａ）とを、簡単に連結することができる。ここで、防音シート体２ａにおける、巻き付けのためのスナップボタン５および連結のためのスナップボタン２１は、フランジ６部分で、防音シート３に取付固定されるため、防音シート３の経年劣化に耐えて、その固定を維持することができる。なお、図示実施の形態においては、防音シート体２ａと他の防音シート体２は、同一品であって、それら防音シート体２ａ、２の、残された、連結のための雄スナップボタン２１ａと雌スナップボタン２１ｂとが、互いに嵌め合わされて係合する。また、図９において、符号２２は、切断の目印となるラインであって、防音シート体２ａに他の防音シート体２を連結しない場合には、その連結しない側のライン２２で防音シート体２ａを切断することで、シート付加部３ｂを除去する。
【００３１】
図１３および図１４は、本発明の第四の実施の形態を示す。この実施の形態に示す防音シート体２は、第一の実施の形態に示す防音シート体２ａとは、直状配管材１ａではなく曲がり配管材１ｂに巻き付けられる点が異なるが、他はほぼ同様であり、以下に、同様の機能を有する部分には同一の符号を付して、異なる部分を主に説明する。
【００３２】
防音シート体２は、配管材１が曲がって形成された曲がり配管材１ｂに巻き付けられる、曲がり用の防音シート体２ｂである。この防音シート体２ｂにおける防音シート３は、曲がり配管材１ｂに巻かれた際に、曲がり配管材１ｂに巻かれて重なる重合端部４、４が、曲がり配管材１ｂの曲がる側面に対応するように、曲がり配管材１ｂに巻かれる巻き方向Ｐの中間位置に、曲がり配管材１ｂの曲がる内側に対応する幅狭部３ｃと、曲がり配管材１ｂの曲がる外側に対応する幅広部３ｄとが、前記巻き方向Ｐに並んでいる（図１３参照）。つまりは、幅狭部３ｃは、前記巻き方向Ｐにおいて、一方端から約１／４の長さ位置にあり、幅広部３ｄは、他方端から約１／４の長さ位置にある。
【００３３】
詳細には、曲がり配管材１ｂに対して、一対の防音シート体２ｂ、２ｂが用いられ、それら防音シート体２ｂ、２ｂが、曲がり配管材１ｂの曲がる中央部分で、突き合わされる。そこで、防音シート体２ｂにおける防音シート３は、曲がり配管材１ｂの端部に対応する側の辺３ｅが、直線状に形成され、曲がり配管材１ｂの中央部分に対応する側の辺３ｆが、波打って形成される。
【００３４】
そして、防音シート３の一方の重合端部４に、その重合端部４に沿って、スナップボタン５としての雄スナップボタン５ａが、複数個（図示実施の形態においては２個）並んで取付固定されている。そして、他方の重合端部４に、その重合端部４に沿って、スナップボタン５としての雌スナップボタン５ｂが、前記雄スナップボタン５ａに対応するように、複数個（図示実施の形態においては２個）並んで取付固定されている。
【００３５】
この防音シート体２ｂによると、曲がり配管材１ｂの曲がる外側とか内側に障害物がある場合であっても、曲がり配管材１ｂの曲がる側面側に作業スペースがあれば、重合端部４、４の各側に設けられたスナップボタン５、５どうしを（つまり、雄スナップボタン５ａと雌スナップボタン５ｂとを）、互いに嵌め合わせて係合させることができ、防音シート体２ｂを曲がり配管材１ｂに取り付けることができる。また、図示実施の形態においては、曲がり配管材１ｂに対して、一対の防音シート体２ｂ、２ｂを用いており、それら防音シート体２ｂ、２ｂの全体を、反転するように向きを変えることで、重合端部４、４（つまりは、スナップボタン５、５）を、曲がり配管材１ｂの曲がる一方の側面に対応する位置から、もう一方の側面に対応する位置に変更することができる。したがって、曲がり配管材１ｂの曲がる側面のいずれか一方の側に障害物がある場合にも、障害物がない側に、重合端部４、４、つまりはスナップボタン５、５を位置させて、スナップボタン５、５どうしを嵌め合わせて係合させることができる。
【００３６】
図１５および図１６は、本発明の第五の実施の形態を示す。この実施の形態に示す曲がり用の防音シート体２ｂは、第四の実施の形態に示す防音シート体２ｂとは、防音シート３の形状が若干異なるが、他はほぼ同様であり、以下に、同様の機能を有する部分には同一の符号を付して、異なる部分を主に説明する。
【００３７】
防音シート体２ｂが巻き付けられる曲がり配管材１ｂは、第四の実施の形態に示す曲がり配管材１ｂと比較すると、その曲がりが、大きな弧を描いている。そして、防音シート体２ｂにおける防音シート３は、第四の実施の形態に示す防音シート３と同様に、曲がり配管材１ｂに巻かれた際に、重合端部４、４が、曲がり配管材１ｂの曲がる側面に対応するように、巻き方向Ｐの中間位置に、曲がり配管材１ｂの曲がる内側に対応する幅狭部３ｃと、曲がり配管材１ｂの曲がる外側に対応する幅広部３ｄとが、巻き方向Ｐに並ぶが、曲がり配管材１ｂの端部に対応する側の辺３ｅが、直線状ではなく、若干波打って形成されている（図１５参照）。
【００３８】
図１７および図１８は、本発明の第六の実施の形態を示す。この実施の形態においては、第四の実施の形態と比較すると、曲がり配管材１ｂに対して、３枚の曲がり用の防音シート体２ｂ、２ｂが用いられるが、他はほぼ同様であり、以下に、同様の機能を有する部分には同一の符号を付して、異なる部分を主に説明する。
【００３９】
防音シート体２ｂが巻き付けられる曲がり配管材１ｂは、第四の実施の形態に示す曲がり配管材１ｂと比較すると、その曲がりが、大きな弧を描いている。そして、曲がり配管材１ｂに対して、３枚の防音シート体２ｂ、２ｂが用いられ、これら防音シート体２ｂ、２ｂは、両側に位置して対称形状となる一対の防音シート体２ｂ、２ｂと、それら一対の防音シート体２ｂ、２ｂの間に位置する、中間の防音シート体２ｂとからなる。そして、これら防音シート体２ｂ、２ｂにおける防音シート３は、第四の実施の形態に示す防音シート３と同様に、曲がり配管材１ｂに巻かれた際に、重合端部４、４が、曲がり配管材１ｂの曲がる側面に対応するように、巻き方向Ｐの中間位置に、曲がり配管材１ｂの曲がる内側に対応する幅狭部３ｃと、曲がり配管材１ｂの曲がる外側に対応する幅広部３ｄとが、巻き方向Ｐに並んでいる（図１７参照）。
【００４０】
詳細には、両側に位置する一対の防音シート体２ｂ、２ｂにおける防音シート３にあっては、曲がり配管材１ｂの端部に対応する側の辺３ｅが、直線状に形成され、曲がり配管材１ｂの中間部分に対応する側の辺３ｆが、波打って形成される。そして、中間の防音シート体２ｂにおける防音シート３にあっては、両辺３ｇ、３ｇが、対称に波打って形成される。そして、これら防音シート体２ｂ、２ｂにおいても、第四の実施の形態と同様に、これら防音シート体２ｂ、２ｂの全体を、反転するように向きを変えることで、重合端部４、４（つまりはスナップボタン５、５）を、曲がり配管材１ｂの曲がる一方の側面に対応する位置から、もう一方の側面に対応する位置に変更することができる。
【００４１】
図１９〜図２１は、本発明の第七の実施の形態を示す。この実施の形態に示す防音シート体２は、第四の実施の形態に示す防音シート体２ｂとは、防音シート３の形状が若干異なるが、他はほぼ同様であり、以下に、同様の機能を有する部分には同一の符号を付して、異なる部分を主に説明する。
【００４２】
防音シート体２は、第四の実施の形態と同様に、曲がり配管材１ｂに巻き付けられる、曲がり用の防音シート体２ｂであるが、その防音シート体２ｂにおける防音シート３には、曲がり配管材１ｂに続く直状配管材１ａ側の端部に、巻き付けのためのスナップボタン５、５（雄および雌スナップボタン５ａ、５ｂ）とは別に、連結のためのスナップボタン２１が、その連結のためのスナップボタン２１に備わるフランジ部分で取付固定されている。そして、この連結のためのスナップボタン２１は、直状配管材１ａに巻き付けられる他の防音シート体２に備わる他の連結のためのスナップボタン２１と、互いに嵌め合わされて係合可能となっている。
【００４３】
詳細には、図１９および図２０に示すように、曲がり配管材１ｂに対して、一対の防音シート体２ｂ、２ｂが用いられ、それら防音シート体２ｂ、２ｂが、曲がり配管材１ｂの曲がる中央部分で、突き合わされる。防音シート体２ｂにおける防音シート３は、第四の実施の形態に示す防音シート３と同様の形状のシート本体３ａに対して、直状配管材１ａ側の端に、三角形状（詳しくは、直角三角形形状）のシート付加部３ｂ（図１９において、説明の便宜上付した二点鎖線によって区画された部分）を追加した形状に形成されている。
【００４４】
そして、シート本体３ａにおける、一方の重合端部４に、その重合端部４に沿って、巻き付けのためのスナップボタン５としての雄スナップボタン５ａが、複数個（図示実施の形態においては２個）並んで取付固定されている。そして、シート本体３ａにおける、他方の重合端部４に、その重合端部４に沿って、巻き付けのためのスナップボタン５としての雌スナップボタン５ｂが、前記雄スナップボタン５ａに対応するように、複数個（図示実施の形態においては２個）並んで取付固定されている。そして、一方の防音シート３には、シート付加部３ｂに、巻き付けのための雄スナップボタン５ａと並んで、連結のためのスナップボタン２１としての雄スナップボタン２１ａが取付固定され、もう一方の防音シート３には、シート付加部３ｂに、巻き付けのための雌スナップボタン５ｂと並んで、連結のためのスナップボタン２１としての雌スナップボタン２１ｂが取付固定されている。ここで、これら連結のための雄および雌スナップボタン２１ａ、２１ｂには、巻き付けのための雄および雌スナップボタン５ａ、５ｂと同一のボタンが用いられ、同様の方法で防音シート３に取付固定される。
【００４５】
また、曲がり用の防音シート体２ｂの巻き付け方法としては、防音シート体２ｂを、端部に連結のためのスナップボタン２１（雄または雌スナップボタン２１ａ、２１ｂ）を残した状態で、曲がり配管材１ｂに巻き付けて、スナップボタン５、５（つまり、防音シート体２ｂにおける、巻き付けのための雄スナップボタン５ａと雌スナップボタン５ｂと）を互いに嵌め合わせて係合させるとともに、連結のためのスナップボタン２１（雄または雌スナップボタン２１ａ、２１ｂ）を、他の防音シート体２（直状用の防音シート体２ａ）に備わる他の連結のためのスナップボタン２１（雌または雄スナップボタン２１ｂ、２１ａ）と互いに嵌め合わせて係合させて、曲がり用の防音シート体２ｂと他の防音シート体２（直状用の防音シート体２ａ）とを連結する（図２１参照）。なお、図示実施の形態においては、直状用の防音シート体２ａは、第三の実施の形態に示す防音シート体２ａと同一のものである。また、防音シート体２ｂと他の防音シート体２（詳細には、防音シート体２ａ）とは、その連結部分で、隙間ができないように、一部で重なり、残りの部分で突き合わされているが、全周で重なるようにしても構わない。
【００４６】
この曲がり用の防音シート体２ｂとか、巻き付け方法によると、防音シート体２ｂに、巻き付けのためのスナップボタン５と連結のためのスナップボタン２１とを設けて、防音シート体２ｂを曲がり配管材１ｂに巻き付ける際に残された、連結のためのスナップボタン２１（雄または雌スナップボタン２１ａ、２１ｂ）と、他の防音シート体２（直状用の防音シート体２ａ）に備わる他の連結のためのスナップボタン２１（雌または雄スナップボタン２１ｂ、２１ａ）とを、互いに嵌め合わせて係合させることで、曲がり用の防音シート体２ｂと直状用の防音シート体２ａとを、簡単に連結することができる。ここで、曲がり用の防音シート体２ｂにおける、巻き付けのためのスナップボタン５および連結のためのスナップボタン２１は、フランジ６部分で、防音シート３に取付固定されるため、防音シート３の経年劣化に耐えて、その固定を維持することができる。
【００４７】
なお、本発明は、上述した実施の形態に限定されるわけではなく、その他種々の変更が可能である。例えば、防音シート３において、吸音層７がニードルフェルトからなり、遮音層８が軟質塩化ビニル樹脂からなるが、これら吸音層７と遮音層８は、吸音あるいは遮音の機能を有するものであれば、どのような材料からなっていてもよい。また、防音シート３は、吸音層７と遮音層８とが積層されてならなくとも、一種類の層からなっていてもよい。
【００４８】
また、曲がり配管材１ｂに対して、巻き付けられる防音シート体２ｂは、２枚あるいは３枚で構成されるが、４枚以上で構成されてもよく、また、場合によっては１枚のみで構成されてもよい。
【００４９】
また、スナップボタン５、２１（詳細には、雄スナップボタン５ａ、２１ａとか雌スナップボタン５ｂ、２１ｂ）は、一対のフランジ６、６を有して、その一対のフランジ６、６で、防音シート３を挟み込むようにして、防音シート３に取付固定されるが、一つのフランジを有して、そのフランジが防音シート３に例えば縫い付けられてもよい。
【図面の簡単な説明】
【００５０】
【図１】この発明の第一の実施の形態の、防音シート体の平面図である。
【図２】同じく、図１におけるＡ−Ａ線による拡大断面図である。
【図３】同じく、図１におけるＢ−Ｂ線による拡大断面図である。
【図４】同じく、防音シート体を直状配管材に巻き付けた状態の正面図である。
【図５】同じく、図４におけるＣ−Ｃ線による要部拡大断面図である。
【図６】この発明の第二の実施の形態の、防音シート体の巻き付け構造の正面図である。
【図７】同じく、防音シート体の巻き付け方法を説明するための、連結前の状態の正面図である。
【図８】同じく、防音シート体の巻き付け方法を説明するための、連結後の状態の正面図である。
【図９】この発明の第三の実施の形態の、防音シート体の平面図である。
【図１０】同じく、防音シート体を直状配管材に巻き付けた状態の正面図である。
【図１１】同じく、防音シート体の巻き付け方法を説明するための、連結前の状態の正面図である。
【図１２】同じく、防音シート体の巻き付け方法を説明するための、連結後の状態の正面図である。
【図１３】この発明の第四の実施の形態の、防音シート体の平面図である。
【図１４】同じく、防音シート体を曲がり配管材に巻き付けた状態の正面図である。
【図１５】この発明の第五の実施の形態の、防音シート体の平面図である。
【図１６】同じく、防音シート体を曲がり配管材に巻き付けた状態の正面図である。
【図１７】この発明の第六の実施の形態の、防音シート体の平面図である。
【図１８】同じく、防音シート体を曲がり配管材に巻き付けた状態の正面図である。
【図１９】この発明の第七の実施の形態の、防音シート体の平面図である。
【図２０】同じく、防音シート体の巻き付け方法を説明するための、連結前の状態の正面図である。
【図２１】同じく、防音シート体の巻き付け方法を説明するための、連結後の状態の正面図である。
【符号の説明】
【００５１】
１  配管材
１ａ  直状配管材（配管材）
１ｂ  曲がり配管材（配管材）
２  防音シート体
２ａ  直状用の防音シート体（防音シート体）
２ｂ  曲がり用の防音シート体（防音シート体）
３  防音シート
３ｃ  幅狭部
３ｄ  幅広部
４  重合端部
５  スナップボタン
５ａ  雄スナップボタン（スナップボタン）
５ｂ  雌スナップボタン（スナップボタン）
６  フランジ
７  吸音層
８  遮音層
２１  連結のためのスナップボタン
２１ａ  雄スナップボタン（連結のためのスナップボタン）
２１ｂ  雌スナップボタン（連結のためのスナップボタン）
Ｐ  巻き方向
Ｑ  直交する方向
【図１】
2008008340.tif 000003
【図２】
2008008340.tif 000004
【図３】
2008008340.tif 000005
【図４】
2008008340.tif 000006
【図５】
2008008340.tif 000007
【図６】
2008008340.tif 000008
【図７】
2008008340.tif 000009
【図８】
2008008340.tif 000010
【図９】
2008008340.tif 000011
【図１０】
2008008340.tif 000012
【図１１】
2008008340.tif 000013
【図１２】
2008008340.tif 000014
【図１３】
2008008340.tif 000015
【図１４】
2008008340.tif 000016
【図１５】
2008008340.tif 000017
【図１６】
2008008340.tif 000018
【図１７】
2008008340.tif 000019
【図１８】
2008008340.tif 000020
【図１９】
2008008340.tif 000021
【図２０】
2008008340.tif 000022
【図２１】
2008008340.tif 000023